(57)【要約】【課題】大形化やコストアップを極力抑制し、火災の発生を報知することのできるリモコン機能付きの点灯装置および照明器具を提供する。【解決手段】点灯装置１は、光源２と、光源２を点灯させる点灯回路３と、リモコン制御信号を受光する受光部４と、火災検出信号を入力する火災信号入力部５と、報知音を発生する報知音発生部６と、リモコン制御信号に応じて点灯回路３を制御するとともに所定の報知音を発音するように報知音発生部６を制御し、火災信号入力部５が火災検出信号を入力しているときに火災検出信号に応じた報知音を発音するように報知音発生部６を制御する制御部７とを具備している。【選択図】図１
2008153110.tif 000002
【特許請求の範囲】
【請求項１】
光源と；
この光源を点灯させる点灯回路と；
リモコン装置から送信されたリモコン制御信号を受光する受光部と；
火災が発生したときの火災検出信号を入力する火災信号入力部と；
報知音を発生する報知音発生部と；
受光部がリモコン制御信号を受光したときにリモコン制御信号に応じて点灯回路を制御するとともに所定の報知音を発音するように前記報知音発生部を制御し、火災信号入力部が火災検出信号を入力しているときに火災検出信号に応じた報知音を発音するように前記報知音発生部を制御する制御部と；
を具備していることを特徴とする点灯装置。
【請求項２】
非常用電源と；
この非常用電源により点灯可能な常夜灯と；
点灯回路に入力する交流電源電圧を検出する入力電圧検出部と；
を備え、
制御部は、火災信号入力部が火災検出信号を入力しているときに、入力電圧検出部が前記交流電源電圧を検出しているときには、前記交流電源電圧により常夜灯を点灯させ、入力電圧検出部が前記交流電源電圧を検出しないときには、非常用電源を常夜灯に接続させて非常用電源により常夜灯を点灯させるように制御することを特徴とする請求項１記載の点灯装置。
【請求項３】
制御部は、報知音発生部から発音されるリモコン制御信号に応じた所定の報知音と火災検出信号に応じた報知音とが異なるように制御することを特徴とする請求項１または２記載の点灯装置。
【請求項４】
請求項１ないし３いずれか一記載の点灯装置と；
この点灯装置を配設している器具本体と；
点灯装置の受光部側に向けてリモコン制御信号を送信するリモコン装置と；
を具備していることを特徴とする照明器具。
【発明の詳細な説明】
【技術分野】
【０００１】
本発明は、火災を報知する点灯装置および照明器具に関する。
【背景技術】
【０００２】
リモコン装置を用いて照明負荷の点灯状態が制御される照明器具は、ブザーを備えているものが多く、ブザー音により当該点灯状態の切り換えを報知している。そして、ブザーに替えてスピーカを備えた照明器具が提案されている（特許文献１参照。）。この従来技術の照明器具は、ブザー音に比べて、スピーカから大音量・高音質の音が発せられるものである。
【０００３】
ところで、夜間などで火災が発生したときに、速やかに避難できるように照明負荷を点灯させることが行われている。例えば、火災感知器から送信された信号を受信する受信器を有し、この受信器による送信信号の受信により、ランプが点灯し、警報音や警報音声が発生する警報器を有する火災警報器付き電気スタンドが提案されている（特許文献２参照。）。この従来技術の火災警報器付き電気スタンドは、火災感知器が作動したときに、電気スタンドの照明により覚醒時に慌ててしまう恐れもなく、適切に次の行動を取ることができるものである。
【特許文献１】特開２００５−２７６５９０号公報（第３−４頁、第２図）
【特許文献２】登録実用新案第３００３８５７号明細書（第５頁、第１図）
【発明の開示】
【発明が解決しようとする課題】
【０００４】
近年、一般の住宅に火災警報器を設置することが消防法の改正の関係から普及している。そこで、特許文献１のような従来の照明器具に火災警報器を適用すると、特許文献２の火災警報器付き電気スタンドのように、警報用の専用の警報機器などを追加しなければならず、大形化やコストアップを招くという問題がある。
【０００５】
本発明は、大形化やコストアップを極力抑制し、火災の発生を報知することのできるリモコン機能付きの点灯装置および照明器具を提供することを目的とする。
【課題を解決するための手段】
【０００６】
請求項１に記載の点灯装置の発明は、光源と；この光源を点灯させる点灯回路と；リモコン装置から送信されたリモコン制御信号を受光する受光部と；火災が発生したときの火災検出信号を入力する火災信号入力部と；報知音を発生する報知音発生部と；受光部がリモコン制御信号を受光したときにリモコン制御信号に応じて点灯回路を制御するとともに所定の報知音を発音するように前記報知音発生部を制御し、火災信号入力部が火災検出信号を入力しているときに火災検出信号に応じた報知音を発音するように前記報知音発生部を制御する制御部と；を具備していることを特徴とする。
【０００７】
本発明および以下の各発明において、特に言及しない限り、各構成は以下による。
【０００８】
火災信号入力部は、自身に直接的に接続された熱線検出装置や煙検出装置などの火災検出装置から火災検出信号を入力するように形成されてもよいし、外部から例えば無線信号により火災検出信号を入力するように形成されてもよい。
【０００９】
報知音発生部は、ブザーまたはスピーカとすることができる。そして、制御信号（電圧信号）の供給期間に応じて発音する自励式のものであってもよく、制御信号の例えば周波数に応じて発音する他励式のもの、また、予め記憶している音を単に信号の種類に応じて発音する他励式のものであってもよい。
【００１０】
リモコン制御信号に応じた所定の報知音と火災検出信号に応じた報知音は、同じであってもよく、異なっていてもよい。
【００１１】
本発明によれば、火災が発生し、火災信号入力部に火災検出信号が入力すると、報知音発生部から火災検出信号に応じた報知音が発音される。この報知音により、火災の発生が報知される。
【００１２】
請求項２に記載の点灯装置の発明は、請求項１記載の点灯装置において、非常用電源と；この非常用電源により点灯可能な常夜灯と；点灯回路に入力する交流電源電圧を検出する入力電圧検出部と；を備え、制御部は、火災信号入力部が火災検出信号を入力しているときに、入力電圧検出部が前記交流電源電圧を検出しているときには、前記交流電源電圧により常夜灯を点灯させ、入力電圧検出部が前記交流電源電圧を検出しないときには、非常用電源を常夜灯に接続させて非常用電源により常夜灯を点灯させるように制御することを特徴とする。
【００１３】
常夜灯は、光源を構成するものである。
【００１４】
非常用電源は、例えばバッテリまたは電気２重層コンデンサとすることができる。
【００１５】
「交流電源電圧により常夜灯を点灯させる」とは、常夜灯に交流電源電圧が印加するようにして常夜灯を点灯するようにしてもよく、交流電源電圧を整流または整流平滑した直流電圧が常夜灯に印加するようにして常夜灯を点灯するようにしてもよいことを意味する。
【００１６】
「入力電圧検出部が前記交流電源電圧を検出しないとき」とは、商用交流電源などの電源設備の停電を意味する。また、壁スイッチがオフされた状態を許容する。
【００１７】
制御部は、火災信号入力部に火災検出信号が入力されると、入力電圧検出部による前記交流電源電圧の検出の状態によらずに、非常用電源で常夜灯を点灯させるようにすることも可能である。
【００１８】
本発明によれば、火災が発生したときに、例えば商用交流電源の交流電源電圧または非常用電源の直流電圧が常夜灯に供給されて、常夜灯が点灯する。
【００１９】
請求項３に記載の点灯装置の発明は、請求項１または２記載の点灯装置において、制御部は、報知音発生部から発音されるリモコン制御信号に応じた所定の報知音と火災検出信号に応じた報知音とが異なるように制御することを特徴とする。
【００２０】
所定の報知音は、例えば１回の「ピー」とすることができ、火災検出信号に応じた報知音は、例えば継続する又は断続する「ピー」や「ピー、ピー」などとすることができる。
【００２１】
本発明によれば、リモコン制御信号に応じた所定の報知音と火災検出信号に応じた報知音とが異なることにより、火災発生時に通常と異なる報知音が聴取されるので、火災の発生が認識されやすくなる。
【００２２】
請求項４に記載の照明器具の発明は、請求項１ないし３いずれか一記載の点灯装置と；この点灯装置を配設している器具本体と；点灯装置の受光部側に向けてリモコン制御信号を送信するリモコン装置と；を具備していることを特徴とする。
【００２３】
本発明によれば、請求項１ないし３いずれか一記載の点灯装置を具備するので、火災発生が報知されるリモコン機能付きの照明器具が提供される。
【発明の効果】
【００２４】
請求項１の発明によれば、リモコン装置から送信されたリモコン制御信号による光源の点灯状態の切り換えを報知する報知音発生部から火災発生の報知音を発生するので、火災警報用の付加機能を設けても、大形化やコストアップを極力抑制することができるリモコン機能付きの点灯装置を提供することができる。
【００２５】
請求項２の発明によれば、火災が発生したときに常夜灯が点灯するので、夜間などであっても速やかに避難行動を行うことができる。
【００２６】
請求項３の発明によれば、リモコン制御信号に応じた所定の報知音と火災検出信号に応じた報知音とが異なるので、報知音発生部からの報知音によって火災発生を直ちに認識させることができる。
【００２７】
請求項４の発明によれば、報知音発生部の共通化が図られているので、大形化やコストアップが極力抑制された火災発生を報知することのできるリモコン機能付きの照明器具を提供することができる。
【発明を実施するための最良の形態】
【００２８】
以下、本発明の一実施の形態について、図面を参照して説明する。まず、本発明の第１の実施形態について説明する。
【００２９】
図１は、本発明の第１の実施形態を示す点灯装置の概略ブロック図である。点灯装置１は、光源としての放電ランプ２、点灯回路としての高周波点灯回路３、受光部４、火災信号入力部５、報知音発生部６、制御部７、非常用電源８、光源としての常夜灯９および入力電圧検出部１０などを有して構成されている。
【００３０】
放電ランプ２は、例えば蛍光ランプであり、高周波点灯回路３により高周波点灯される。高周波点灯回路３は、整流回路１１およびインバータ回路部１２から構成され、入力側が壁スイッチ１３を介して商用交流電源Ｖｓに接続されている。整流回路１１は、商用交流電源Ｖｓからの交流電源電圧を直流電圧に変換してインバータ回路部１２に入力させる。インバータ回路部１２は、例えばハーフブリッジ形のインバータ回路や共振回路などの周知の回路で構成され、前記直流電圧を高周波電圧に変換するように構成されている。高周波点灯回路３は、図中、１本の放電ランプ２を点灯させるようにしているが、複数本の放電ランプ２を点灯させることもできる。
【００３１】
受光部４は、リモコン装置から送信されたリモコン制御信号を受光する受光素子（図示しない。）を有してなり、リモコン制御信号を復調して制御部７に送出するように形成されている。リモコン制御信号は、光源としての放電ランプ２および常夜灯９の点灯状態を切り換えるための信号である。
【００３２】
火災信号入力部５は、熱線や煙などを検出する火災検出装置１４に接続されている。火災検出装置１４は、熱線や煙などの検出によって火災の発生を検出し、火災検出信号を送出する。火災信号入力部５は、当該火災検出信号を制御部７に送出するように形成されている。
【００３３】
報知音発生部６は、例えばブザーからなり、制御部７からの電圧信号に応じて報知音を発音する。例えば、所定幅の電圧信号が供給されると「ピー」を発音し、所定の電圧信号が間欠して供給されると「ピー、ピー」を発音する。
【００３４】
制御部７は、内部電源（図示しない。）を備えており、直流電源を受光部４、火災信号入力部５、入力電圧検出部１０や火災検出装置１４などに供給して、それらを常時動作状態にしている。内部電源は、壁スイッチ１３がオンされているときに、例えば高周波点灯回路３の整流回路１１の出力電圧により充電されている。
【００３５】
そして、制御部７は、受光部４からリモコン制御信号が入力されると、リモコン制御信号に応じて高周波点灯回路３のインバータ回路部１２に放電ランプ２を点灯、消灯または調光させるための制御信号を送出し、切換回路１５に常夜灯９を点灯または消灯させるための制御信号を送出するように構成されている。ここで、常夜灯９が点灯されるとき、常夜灯９は、切換回路１５により、整流回路１１の出力間に接続される。常夜灯９は、商用交流電源Ｖｓの交流電源電圧を整流した直流電圧が印加されて点灯する。
【００３６】
また、制御部７は、リモコン制御信号が入力されたときに、報知音発生部６に所定幅の電圧信号（制御信号）を送出する。報知音発生部６は、所定の報知音例えば「ピー」を発音する。これにより、リモコン装置の操作による放電ランプ２および常夜灯９の点灯状態の切り換わりが報知される。
【００３７】
そして、制御部７は、火災信号入力部５から火災検出信号が入力されると、報知音発生部６に例えば間欠した所定幅の電圧信号を送出するように構成されている。制御部７は、火災検出信号の入力が停止されるまで継続して前記電圧信号を送出する。報知音発生部６は、火災検出信号に応じた報知音として例えば「ピー、ピー」を継続して発音する。これにより、火災の発生が報知される。
【００３８】
また、制御部７は、切換回路１５に制御信号を送出して、常夜灯９を点灯させる。このとき、制御部７は、入力電圧検出部１０によって検出される高周波点灯回路３に入力する商用交流電源Ｖｓからの交流電源電圧の有無に応じて、常夜灯９を整流回路１１の出力間に接続させ、または非常用電源８に接続させる。これにより、火災発生時に停電となっても、常夜灯９は点灯される。
【００３９】
非常用電源８は、例えばバッテリからなり、整流回路１１の出力電圧が入力電源として入力される充電装置１６により充電される。そして、火災が発生したときであって、停電などしているときに常夜灯９に接続される。
【００４０】
常夜灯９は、例えば豆球からなる。ここで、常夜灯９は、整流回路１１の出力電圧（直流電圧）または非常用電源８の直流電圧により点灯されるので、発光ダイオード（ＬＥＤ）を用いてもよい。
【００４１】
入力電圧検出部１０は、整流回路１１の入力側において、高周波点灯回路３に入力している商用交流電源Ｖｓの交流電源電圧を検出している。制御部７は、火災信号入力部５から火災検出信号が入力されているときに、入力電圧検出部１０が前記交流電源電圧を検出しているときには、前記交流電源電圧を整流している整流回路１１の出力電圧により常夜灯９を点灯させ、入力電圧検出部１０が前記交流電源電圧を検出しないときには、非常用電源８により常夜灯９を点灯させるように制御する。
【００４２】
なお、点灯回路は、高周波点灯回路３の他、非常用電源８、開閉装置１５、充電装置１６などを有して構成されているものである。
【００４３】
次に、本発明の第１の実施形態の作用について述べる。
【００４４】
リモコン装置より送信されたリモコン制御信号が受光部４で受光されると、制御部７は、当該リモコン制御信号に応じて高周波点灯回路３または開閉装置１５を制御し、放電ランプ２または常夜灯９の点灯状態を切り換えるとともに、所定幅の電圧信号を送出して報知音発生部６を制御し、報知音発生部６から当該リモコン制御信号に応じた所定の報知音例えば「ピー」を発音させる。この所定の報知音の発生により、リモコン装置の操作者は、放電ランプ２または常夜灯９の点灯状態の切り換えを確認することができる。
【００４５】
そして、火災検出装置１４が熱線や煙などにより火災を検出し、火災信号入力部５が火災検出装置１４から火災検出信号を入力すると、制御部７は、所定幅の電圧信号を間欠して送出して報知音発生部６を制御し、報知音発生部６から火災検出信号に応じた報知音例えば「ピー、ピー」を発音させるとともに、入力電圧検出部１０による交流電源電圧の検出状態に応じて開閉装置１５を制御し、常夜灯９を点灯させる。制御部７は、火災検出信号が火災信号入力部５に入力されている限り、報知音発生部６からの報知音の発生および常夜灯９の点灯を継続させる。この継続的な報知音により、火災が発生したことを認識することができる。また、火災検出信号に応じた報知音がリモコン制御信号に応じた所定の報知音と異なることにより、火災の発生を直ちに認識することができる。また、常夜灯９による照明により、例え夜間などであっても速やかに適切な避難行動に移行することができる。
【００４６】
上述したように、報知音発生部６は、リモコン制御信号に応じた所定の報知音と、火災検出信号に応じた報知音の両方を報知するので、点灯装置１は、新たな火災報知装置などの付加機能を設ける必要がなくなる。この結果、点灯装置１は、大形化やコストアップを極力抑制することができて、市場性が向上するものである。
【００４７】
次に、本発明の第２の実施形態について説明する。
【００４８】
図２は、本発明の第２の実施形態を示す照明器具であり、（ａ）は一部切り欠き概略側面図、（ｂ）は放電ランプが取り外された状態の一部切り欠き概略正面図である。なお、図１と同一部分には、同一符号を付して説明は省略する。
【００４９】
図２に示す照明器具１７は、天井などの造営物に設置される直付け照明器具であり、器具本体１８、リモコン装置１９、光源としての環外径の異なる環形蛍光ランプ２０，２１、光源としての常夜灯９、グローブ２２および点灯装置２３などを有して構成されている。
【００５０】
環形蛍光ランプ２０，２１は、同心円状にして器具本体１８のランプソケット２４，２５にそれぞれ取り付けられている。そして、環形蛍光ランプ２０，２１は、例えば白色、昼白色、昼光色、温白色および電球色のいずれかの色光を放射する。
【００５１】
そして、器具本体１８内に、点灯装置２３が収容されて環形蛍光ランプ２０，２１に接続されている。点灯装置２３は、図１に示す点灯装置１において、蛍光ランプ２が除去されるなどして構成されている。点灯装置２３の火災信号入力部５は、図示しないリード線により外部の火災検出装置１４に接続されている。
【００５２】
また、器具本体１８には、略中央部にリモコン装置１９から送信されたリモコン制御信号を受光する受光部４の受光素子２６と、常夜灯９とが配設されている。また、略中央部には、受光素子２６に対向するようにして報知音発生部としてのブザー６が配設されている。器具本体１８は、天井などの造営物にネジなどによって固定され、前面は透光性のグローブ２２によって被われている。
【００５３】
受光素子２６側に向かってリモコン装置１９からリモコン制御信号が送信されると、当該リモコン制御信号が受光素子２６に受光されたことを確認させる所定の報知音例え場「ピー」がブザー６から発音される。そして、環形蛍光ランプ２０，２１または常夜灯９が点灯すると、これらからの光は、グローブ２２を透過して外方側に出射する。
【００５４】
そして、火災検出装置１４からの火災検出信号が点灯装置２３の火災信号入力部５に入力すると、ブザー６から火災検出信号に応じた報知音例えば「ピー、ピー」が発音されるとともに、常夜灯９が点灯する。
【００５５】
このように、リモコン機能付きの照明器具１７は、火災の発生を報知することができる。また、リモコン操作の報知音と火災発生の報知音を発音するブザー６の共通化が図られているので、大形化やコストアップを極力抑制することができて、市場性が向上している。
【図面の簡単な説明】
【００５６】
【図１】本発明の第１の実施形態を示す点灯装置の概略ブロック図。
【図２】本発明の第２の実施形態を示す照明器具であり、（ａ）は一部切り欠き概略側面図、（ｂ）は放電ランプが取り外された状態の一部切り欠き概略正面図。
【符号の説明】
【００５７】
１，２３…点灯装置
２…光源としての放電ランプ
３…点灯回路としての高周波点灯回路
４…受光部
５…火災信号入力部
６…報知音発生部
７…制御部
８…非常用電源
９…光源としての常夜灯
１０…入力電圧検出部
１７…照明器具
１８…器具本体
１９…リモコン装置
２０，２１…光源としての環形蛍光ランプ
【図１】
2008153110.tif 000003
【図２】
2008153110.tif 000004